(57)【要約】    【課題】居室親機の美観性を損なうことなくデジタル動画像の多様な画像処理を行う。    【解決手段】玄関子機１のカメラ１０１にて撮像された映像またはセンサカメラ２にて撮像された映像を、居室親機３のＣＰＵ３０７の制御により、玄関子機から送信される呼出信号またはセンサカメラから送信されるカメラ発呼信号を検出したタイミングで無圧縮のデジタル動画像としてハードディスク３０６に保存を開始し、所定の時間の経過後において保存を終了する。また、ハードディスクに保存されたデジタル動画像をモニタ３０３にて再生する際、操作部３０２の操作を検出した録画／再生ＣＰＵ３０８ａ、３０８ｂの制御により、２倍、４倍、８倍、または１６倍の拡大表示で出画、或いは、明度、彩度、またはコントラストの調節によって原画像よりも画質を向上させて出画する。  【選択図】図２
2007060015.tif 000002
【特許請求の範囲】
【請求項１】
カメラ（１０１）を有する玄関子機（１）と、センサカメラ（２）と、伝送線路（Ｌ1）を経由して前記玄関子機および伝送線路（Ｌ2）を経由して前記センサカメラがそれぞれ接続される居室親機（３）とを備え、
前記居室親機は、前記玄関子機から送信される呼出信号および前記センサカメラから送信されるカメラ発呼信号をそれぞれ検出するためのＣＰＵ（３０７）と、前記玄関子機のカメラにて撮像された映像および前記センサカメラにて撮像された映像をそれぞれ出画するためのモニタ（３０３）と、前記玄関子機のカメラにて撮像された映像または前記センサカメラにて撮像された映像を、前記呼出信号または前記カメラ発呼信号が検出されたタイミングで無圧縮のデジタル動画像として保存を開始し、所定の時間の経過後において前記保存を終了するハードディスク（３０６）とを有することを特徴とするインターホンシステム。
【請求項２】
前記居室親機は、前記ハードディスクに保存されたデジタル動画像を前記モニタにて再生する際、画像処理によって２倍、４倍、８倍、または１６倍の拡大表示を行うための録画／再生ＣＰＵ（３０８ａ）と、その操作を行うための操作部（３０２）とを有することを特徴とする請求項１記載のインターホンシステム。
【請求項３】
前記居室親機は、前記ハードディスクに保存されたデジタル動画像を前記モニタにて再生する際、画像処理によって明度、彩度、またはコントラストを調節し、撮像された原画像よりも画質を向上させて出画するための録画／再生ＣＰＵ（３０８ｂ）と、その操作を行うための操作部（３０２）とを有することを特徴とする請求項１または請求項２記載のインターホンシステム。
【発明の詳細な説明】
【技術分野】
【０００１】
本発明はインターホンシステムに係り、特に、デジタル動画像の保存／再生技術が備えられたインターホンシステムに関する。
【背景技術】
【０００２】
従来から、この種のインターホンシステムとして、例えば、留守中の来訪者の動画映像および音声をモニタすることができる集合住宅インターホン装置が開示されている（例えば、特許文献１を参照。）。
【０００３】
この集合住宅インターホン装置において、来訪者により呼出操作が行われる集合玄関機および集合玄関機からの呼び出しが報知され居住者が来訪者との間で通話を成立させることができる居室機（居室親機と同意。）を制御する制御機の集中映像・音声記憶装置には、例えば、居住者が住戸内を不在とするような留守中に呼出操作を行った来訪者の映像であり集合玄関機のテレビカメラにて撮像された動画映像と、通話成立時における通話内容の音声とを記憶するための映像・音声データメモリが備えられている。また、映像・音声データメモリに記憶された動画映像および音声は、例えば、帰宅時等における居住者の読出操作により居室機にてモニタすることができる。
【０００４】
【特許文献１】特開平９−１２１２５２号公報（段落番号「００１１」〜「００２０」、第１図および第２図）
【発明の開示】
【発明が解決しようとする課題】
【０００５】
背景技術に記載した特許文献１の集合住宅インターホン装置において、集中映像・音声記憶装置の映像・音声データメモリには、フラッシュメモリ等の不揮発性メモリが好適であり、その記憶容量は一般的に小さいものである。そのため、動画映像および音声を記憶するにあたっては、圧縮してサイズを小さくせねばならず、画像／音声処理の結果として画質／音質が劣化する虞があった。
【０００６】
また、記憶容量の拡充を図るにあたっては、映像・音声データメモリを大型化せねばならず、大型化された映像・音声データメモリが集中映像・音声装置に備えられると、制御機の美観性が損なわれる難点があった。
【０００７】
本発明は、これらの難点を解消するためになされたもので、居室親機に備えられる記憶領域として大容量で小型なハードディスクを適用し、デジタル動画像を無圧縮で高画質な状態で保存することにより、居室親機の美観性を損なうことなくデジタル動画像の多様な画像処理を行うことができるインターホンシステムを提供することを目的としている。
【課題を解決するための手段】
【０００８】
前述の目的を達成するため、本発明の第１の態様であるインターホンシステムは、カメラを有する玄関子機と、センサカメラと、伝送線路を経由して玄関子機および伝送線路を経由してセンサカメラがそれぞれ接続される居室親機とを備えたものである。居室親機は、玄関子機から送信される呼出信号およびセンサカメラから送信されるカメラ発呼信号をそれぞれ検出するためのＣＰＵと、玄関子機のカメラにて撮像された映像およびセンサカメラにて撮像された映像をそれぞれ出画するためのモニタと、玄関子機のカメラにて撮像された映像またはセンサカメラにて撮像された映像を、呼出信号またはカメラ発呼信号が検出されたタイミングで無圧縮のデジタル動画像として保存を開始し、所定の時間の経過後において保存を終了するハードディスクとを有するものである。
【０００９】
本発明の第２の態様であるインターホンシステムは、本発明の第１の態様において、居室親機は、ハードディスクに保存されたデジタル動画像をモニタにて再生する際、画像処理によって２倍、４倍、８倍、または１６倍の拡大表示を行うための録画／再生ＣＰＵと、その操作を行うための操作部とを有するものである。
【００１０】
本発明の第３の態様であるインターホンシステムは、本発明の第１の態様または第２の態様において、居室親機は、ハードディスクに保存されたデジタル動画像をモニタにて再生する際、画像処理によって明度、彩度、またはコントラストを調節し、撮像された原画像よりも画質を向上させて出画するための録画／再生ＣＰＵと、その操作を行うための操作部とを有するものである。
【発明の効果】
【００１１】
本発明のインターホンシステムによれば、居室親機のＣＰＵは、玄関子機のカメラにて撮像された映像またはセンサカメラにて撮像された映像を、玄関子機から送信される呼出信号またはセンサカメラから送信されるカメラ発呼信号を検出したタイミングで無圧縮のデジタル動画像としてハードディスクに保存を開始し、所定の時間の経過後において保存を終了することができ、このハードディスクは大容量で小型であることから、居室親機の大型化が不要となり当該居室親機の美観性が保持される。
【００１２】
また、本発明のインターホンシステムによれば、居室親機のハードディスクに保存されたデジタル動画像をモニタにて再生する際、操作部の操作を検出した録画／再生ＣＰＵの制御により、２倍、４倍、８倍、または１６倍の拡大表示で出画、或いは、明度、彩度、またはコントラストの調節によって原画像よりも画質を向上させて出画することができ、視認性が高められる。
【発明を実施するための最良の形態】
【００１３】
以下、本発明のインターホンシステムを実施するための最良の形態例について、図面を参照して説明する。
【００１４】
図１は、本発明を実施するための最良の一形態であるインターホンシステムの全体構成を示すシステム説明図である。
【００１５】
図１に示すインターホンシステムは、玄関や門扉等の屋外に設置される玄関子機１と、ガレージ等に設置されるセンサカメラ２と、屋内（住戸内と同意。）に設置され、伝送線路（以下、第１の伝送線路という。）Ｌ1を経由して玄関子機１および伝送線路（以下、第２の伝送線路という。）Ｌ2を経由してセンサカメラ２がそれぞれ接続される居室親機３とを備えている。
【００１６】
玄関子機１は、屋外に居る来訪者が屋内に在室中の居住者を呼び出すために操作する呼出ボタン１００と、呼出操作を行った来訪者や屋外の周囲近傍の映像を撮像するためのＣＣＤ（Charge Coupled Device）撮像素子、ＣＭＯＳ（Complementary Metal Oxide Semiconductor）撮像素子等のカメラ１０１と、来訪者が居住者との間で通話を成立させるにあたり音声（送話音声、受話音声）を入出力するためのマイク１０２およびスピーカ１０３とを有している。
【００１７】
センサカメラ２は、ガレージ等の周囲近傍の様子を監視するにあたり、泥棒等の不審者または不審物の存在の有無を検知するためのセンサ部２００と、センサ部２００にて検知された不審者または不審物やガレージ等の周囲近傍の映像を撮像するためのＣＣＤ撮像素子、ＣＭＯＳ撮像素子等のカメラ部２０１と、センサ部２０１の作動に併せて能動となり、ガレージ等の周囲近傍の音、例えば、不審な物音や大きな騒音を集音するためのマイク２０２および不審者に対する威嚇のための音、例えば、警報音（音声メッセージを含む。）が出力されるスピーカ２０３とを有している。なお、センサカメラ２には、前述の構成各部の他に照明機能としてライト（図示せず）を備えることも可能であり、このライトの点灯によって夜間時等にカメラ部２０１にて撮像される映像の明度を確保することができる。
【００１８】
居室親機３は、商用電源（ＡＣ１００Ｖ）に接続されており、玄関子機１の呼出ボタン１００を操作した来訪者からの呼び出しがある旨の呼出音（音声メッセージを含む。）、センサカメラ２のセンサ部２００が作動した旨の発呼音（音声メッセージを含む。）およびマイク２０２に集音された音（不審な物音や大きな騒音）をそれぞれ出力するとともに、居住者が来訪者との間で通話を成立させるにあたり当該来訪者の音声（受話音声）が出力されるスピーカ３００と、居住者が来訪者との間で通話を成立させるための音声（送話音声）が入力されるマイク３０１と、居住者が通話を成立させるための応答操作、成立中の通話を終話させるための終話操作や後述するモニタ３０３に再生させる映像の画像処理のための各種操作等が行われる操作部、ここでは、後述するモニタ３０３の前面に配置されるタッチパネルにて構成される操作部３０２と、玄関子機１のカメラ１０１にて撮像された映像およびセンサカメラ２のカメラ部２０１にて撮像された映像をそれぞれ出画するためのＬＣＤ（Liquid Crystal Display）、有機ＥＬ（Electro Luminescence）ディスプレイ等のモニタ３０３とを有している。
【００１９】
なお、居室親機３において、居住者が来訪者との間で成立される通話の形態は、前述のようなスピーカ３００およびマイク３０１を使用した拡声通話（ハンズフリー通話）の形態に限定されず、例えば、別途に設けられるハンドセット（送受話器）を使用した通話の形態も好適であり、この通話を成立させるにあたり、通常、マイク３０１は不要となる。
【００２０】
また、居室親機３の操作部３０２は、前述のようなタッチパネルの形態に限定されず、例えば、通話ボタン、各種の画像処理ボタンのように独立したボタンにて構成することもできる。
【００２１】
さらに、居室親機３のモニタ３０３は、前述のような映像の出画機能のみならず、玄関子機１の呼出ボタン１００を操作した来訪者からの呼び出しがある旨の文字メッセージや絵データ等およびセンサカメラ２のセンサ部２００が作動した旨の文字メッセージや絵データ等をそれぞれ表示することもできる。
【００２２】
図２は、本発明を実施するための最良の一形態であるインターホンシステムにおいて、居室親機３の具体的な構成を示すブロック図である。なお、玄関子機１およびセンサカメラ２の具体的な構成についての図示および説明は省略する。
【００２３】
居室親機３には、前述のスピーカ３００、マイク３０１、操作部３０２およびモニタ３０３と、商用電源（ＡＣ１００Ｖ）を整流／平滑させた直流電源を生成し、この直流電源を当該居室親機の構成各部／回路の動作電源として供給するとともに、玄関子機１およびセンサカメラ２の動作電源としてそれぞれ供給するための電源回路３０４と、マイク３０１およびスピーカ３００を経由して入出力される音声（送話音声、受話音声）であり、信号処理された音声信号について４線／２線変換や２線／４線変換、増幅等を行い、通話ラインを形成するための通話回路３０５と、玄関子機１のカメラ１０１にて撮像された映像、またはセンサカメラ２のカメラ部２０１にて撮像された映像を無圧縮のデジタル動画像として保存する記憶容量が大容量で小型なハードディスク３０６と、玄関子機１から送信される呼出信号を検出してスピーカ３００より呼出音（音声メッセージを含む。）を出力させる制御、センサカメラ２から送信されるカメラ発呼信号を検出してスピーカ３００から発呼音（音声メッセージを含む。）を出力させる制御、電源回路３０４および通話回路３０５の制御、ハードディスク３０６に無圧縮のデジタル動画像を保存するタイミングおよび保存を終了させる制御をそれぞれ行うためのＣＰＵ（以下、メインＣＰＵという。）３０７と、メインＣＰＵ３０７により制御され、ハードディスク３０６に保存されたデジタル動画像をモニタ３０３にて再生する際、２倍、４倍、８倍または１６倍の拡大表示を行うように画像処理する、或いは、明度、彩度、またはコントラストを調節し、玄関子機１のカメラ１０１またはセンサカメラ２のカメラ部２０１にて撮像された原画像よりも画質が向上されるように画像処理するＣＰＵ（以下、録画／再生ＣＰＵという。）３０８ａ、３０８ｂと、電源回路３０４から第１の伝送線路Ｌ1への電源供給ライン、メインＣＰＵ３０７および第１の伝送線路Ｌ1の間の（双方向の）信号伝送ラインをそれぞれ形成するためのインターフェース回路（以下、玄関子機側Ｉ／Ｆという。）３０９と、電源回路３０４から第２の伝送線路Ｌ2への電源供給ライン、メインＣＰＵ３０７および第２の伝送線路Ｌ2の間の（双方向の）信号伝送ラインをそれぞれ形成するためのインターフェース回路（以下、センサカメラ側Ｉ／Ｆという。）３１０とが備えられている。
【００２４】
このように構成された本発明を実施するための最良の一形態であるインターホンシステムにおいて、以下、具体的な動作について説明する。
【００２５】
[第１の動作]
本発明のインターホンシステムが待受状態、すなわち、屋外に居る来訪者からの呼び出しがなく通話も成立していない状態において、図２に示す居室親機３の電源回路３０４にて生成された直流電源は、当該居室親機の構成各部／回路へと待受用の所定の電圧レベルで供給されるとともに、玄関子機側Ｉ／Ｆ３０９、第１の伝送線路Ｌ1を経由して玄関子機１へと供給され当該玄関子機の待受用の動作電源となり、さらに、センサカメラ側Ｉ／Ｆ３１０、第２の伝送線路Ｌ2を経由してセンサカメラ２へと供給され当該センサカメラの監視用の動作電源となる。
【００２６】
次に、前述のような待受状態において、屋外に居る来訪者が屋内に在室中の居住者を呼び出すために図１および図２に示す玄関子機１の呼出ボタン１００を操作すると呼出信号が生成される。この呼出信号は、玄関子機１から第１の伝送線路Ｌ1、居室親機３の玄関子機側Ｉ／Ｆ３０９を経由してメインＣＰＵ３０７へと伝送される。
【００２７】
居室親機３のメインＣＰＵ３０７は、玄関子機１から送信された呼出信号をもとに、来訪者からの呼び出しがあることを検出し、その旨の呼出音（音声メッセージを含む。）をスピーカ３００から出力させるとともに、電源回路３０４を制御してモニタ３０３へと動作電源を供給させ当該モニタを出画可能な状態とする。なお、モニタ３０３には、メインＣＰＵ３０７の制御により、来訪者からの呼び出しがある旨の文字メッセージや絵データ等を表示させることもできる。
【００２８】
また、居室親機３のメインＣＰＵ３０７は、玄関子機１から送信された呼出信号を検出すると、電源回路３０４から玄関子機１へと供給される直流電源の電圧レベルを制御してカメラ１０１の動作を開始させることができる。このカメラ１０１にて撮像された映像、すなわち、呼出操作を行った来訪者や屋外の周囲近傍の映像は、映像信号（以下、第１の映像信号という。）に信号処理された後、前述の呼出信号と同様な経路で居室親機３のメインＣＰＵ３０７へと伝送される。
【００２９】
さらに、居室親機３のメインＣＰＵ３０７は、玄関子機１から送信された第１の映像信号を信号処理したリアルタイムの映像をモニタ３０３に出画させることができるばかりでなく、前述の呼出信号を検出したタイミングで計時機能が能動となり、所定の時間の計時を開始するとともに、録画／再生ＣＰＵ３０８ａ、３０８ｂへの制御を開始することにより、この計時が開始されてから所定の時間がタイムアップとなるまでの間、第１の映像信号を無圧縮のデジタル動画像のデータ（以下、第１のデジタル動画像データという。）としてハードディスク３０６に保存することができる。
【００３０】
なお、居室親機３のハードディスク３０６は、その記憶容量が大容量で小型であることから、前述の所定の時間をより長く設定することができる。それゆえに、第１のデジタル動画像データの長時間の保存が可能となるばかりでなく、居室親機３の大型化が不要となり当該居室親機の美観性が保持される。
【００３１】
次に、居室親機３のスピーカ３００から出力された呼出音（音声メッセージを含む。）およびモニタ３０３にリアルタイムで出画されている映像をもとに、来訪者から呼び出しがあることを当該来訪者の識別と併せて確認した居住者が操作部３０２を使用して所定の応答操作を行うと、この操作を検出したメインＣＰＵ３０７により通話回路３０５が制御され、居住者が使用するスピーカ３００およびマイク３０１と、通話回路３０５、メインＣＰＵ３０７、玄関子機側Ｉ／Ｆ３０９、第１の伝送線路Ｌ1を経由して来訪者が使用する玄関子機１のマイク１０２およびスピーカ１０３との間の通話ラインが形成され、形成された通話ラインを経由して音声信号を送受信させることで通話が成立し、特に、居住者においては、来訪者の様子を確認しながら通話を成立させることができる。
【００３２】
次に、居室親機３のハードディスク３０６に保存された第１のデジタル動画像データをモニタ３０３にて拡大表示で再生するにあたり、居住者は、操作部３０２を使用して２倍、４倍、８倍、または１６倍のうち何れか１つの倍数を選択することができる。この操作を検出したメインＣＰＵ３０７は、録画／再生ＣＰＵ３０８ａを制御し、ハードディスク３０６から読み出される第１のデジタル動画像データを、選択された何れか１つの倍数だけ拡大するように画像処理させる。このように画像処理された後の第１のデジタル動画像データは、無圧縮の当該データでメインＣＰＵ３０７を経由してモニタ３０３へと伝送されることにより、呼出操作を行った来訪者や屋外の周囲近傍の映像を、拡大表示されても画質の劣化がない視認性が高められた映像としてモニタ３０３に出画させることができる。
【００３３】
また、居室親機３のハードディスク３０６に保存された第１のデジタル動画像データをモニタ３０３にて再生するにあたり、居住者は、前述の拡大表示のみならず、操作部３０２を使用して当該デジタル動画像データの明度、彩度、またはコントラストを調節することができる。この操作を検出したメインＣＰＵ３０７は、録画／再生ＣＰＵ３０８ｂを制御し、ハードディスク３０６から読み出される第１のデジタル動画像データの明度、彩度、またはコントラストを調節して、玄関子機１のカメラ１０１にて撮像された原画像よりも画質が向上するように画像処理させる。このように画像処理された後の第１のデジタル動画像データは、無圧縮の当該データでメインＣＰＵ３０７を経由してモニタ３０３へと伝送されることにより、呼出操作を行った来訪者や屋外の周囲近傍の映像を、玄関子機１のカメラ１０１にて撮像された原画像よりも画質が向上された視認性の高い映像としてモニタ３０３に出画させることができる。
【００３４】
[第２の動作]
前述の第１の動作と同様、本発明のインターホンシステムが待受状態において、図１および図２に示すセンサカメラ２のセンサ部２００は、ガレージ等の周囲近傍の様子を監視するにあたり、泥棒等の不審人物または不審物の存在の有無を監視し、その存在を検知した場合にはカメラ発呼信号を生成する。このカメラ発呼信号は、センサカメラ２から第２の伝送線路Ｌ2、居室親機３のセンサカメラ側Ｉ／Ｆ３１０を経由してメインＣＰＵ３０７へと伝送される。
【００３５】
居室親機３のメインＣＰＵ３０７は、センサカメラ２から送信されたカメラ発呼信号をもとに、泥棒等の不審人物または不審物の存在がガレージ等の周囲近傍にあることを検出し、その旨の発呼音（音声メッセージを含む。）をスピーカ３００から出力するとともに、電源回路３０４を制御してモニタ３０３へと動作電源を供給させ当該モニタを出画可能な状態とする。なお、モニタ３０３には、メインＣＰＵ３０７の制御により、センサカメラ２のセンサ部２００が作動した旨の文字メッセージや絵データ等を表示させることもできる。
【００３６】
また、居室親機３のメインＣＰＵ３０７は、センサカメラ２から送信されたカメラ発呼信号を検出すると、電源回路３０４からセンサカメラ２へと供給される直流電源の電圧レベルを制御してカメラ部２０１の動作を開始させることができる。このカメラ部２０１にて撮像された映像、すなわち、センサ部２００にて検知された不審人物または不審物やガレージ等の周囲近傍の映像は、映像信号（以下、第２の映像信号という。）に信号処理された後、前述のカメラ発呼信号と同様な経路で居室親機３のメインＣＰＵ３０７へと伝送される。
【００３７】
さらに、居室親機３のメインＣＰＵ３０７は、センサカメラ２から送信された第２の映像信号を信号処理したリアルタイムの映像をモニタ３０３に出画させることができるばかりでなく、前述のカメラ発呼信号を検出したタイミングで計時機能が能動となり、所定の時間の計時を開始するとともに、録画／再生ＣＰＵ３０８ａ、３０８ｂへの制御を開始することにより、この計時が開始されてから所定の時間がタイムアップとなるまでの間、第２の映像信号を無圧縮のデジタル動画像のデータ（以下、第２のデジタル動画像データという。）としてハードディスク３０６に保存することができる。
【００３８】
なお、居室親機３のハードディスク３０６は、その記憶容量が大容量で小型化であることから、前述の第１の動作と同様、所定の時間をより長く設定することができる。それゆえに、第２のデジタル動画像データの長時間の保存が可能となるばかりでなく、居室親機３の大型化が不要となり当該居室親機の美観性が保持される。
【００３９】
次に、居室親機３のスピーカ３００から出力された発呼音（音声メッセージを含む。）およびモニタ３０３にリアルタイムで出画されている映像をもとに、泥棒等の不審人物または不審物の存在がガレージ等の周囲近傍にあることを当該不審人物また不審物の識別と併せて確認した居住者が操作部３０２を使用して所定の集音操作を行うと、この操作を検出したメインＣＰＵ３０７により、電源回路３０４からセンサカメラ２へと供給される直流電源の電圧レベルを制御してマイク２０２の集音動作が開始されるとともに、通話回路３０５が制御され、センサカメラ２のマイク２０２から第２の伝送線路Ｌ2、センサカメラ側Ｉ／Ｆ３１０、通話回路３０５を経由してスピーカ３００への信号伝送ラインが形成され、形成された通話ラインを経由して音声信号を伝送させることでガレージ等の周囲近傍にて発生している音、例えば、不審な物音や大きな騒音をスピーカ３００からの出力で監視することもできる。
【００４０】
また、居住者は、居室親機３のスピーカ３００から出力された発呼音（音声メッセージを含む。）、ガレージ等の周囲近傍にて発生している音（不審な物音や大きな騒音）およびモニタ３０３にリアルタイムで出画されている映像を確認した後、必要に応じて操作部３０２を使用して所定の威嚇操作を行うと、この操作を検出したメインＣＰＵ３０７の制御によりセンサカメラ２のスピーカ２０３から不審人物を威嚇するための音、例えば、警報音（音声メッセージを含む。）を出力させることができ防犯性が高められる。なお、センサカメラ２のスピーカ２０３からの警報音（音声メッセージを含む。）の出力は、玄関子機１のスピーカ１０３からも同様に行うことができ、防犯性をより高めることもできる。
【００４１】
次に、居室親機３のハードディスク３０６に保存された第２のデジタル動画像データをモニタ３０３にて拡大表示で再生するにあたり、居住者は、前述の第１の動作と同様、操作部３０２を使用して２倍、４倍、８倍、または１６倍のうち何れか１つの倍数を選択することができる。この操作を検出したメインＣＰＵ３０７は、録画／再生ＣＰＵ３０８ａを制御し、ハードディスク３０６から読み出される第２のデジタル動画像データを、選択された何れか１の倍数だけ拡大するように画像処理させる。このように画像処理された後の第２のデジタル動画像データは、無圧縮の当該データでメインＣＰＵ３０７を経由してモニタ３０３へと伝送されることにより、泥棒等の不審人物または不審物やガレージ等の周囲近傍の映像を、拡大表示されても画質の劣化がない視認性が高められた映像としてモニタ３０３に出画させることができる。
【００４２】
また、居室親機３のハードディスク３０６に保存された第２のデジタル動画像データをモニタ３０３にて再生するにあたり、居住者は、前述の拡大表示のみならず、第１の動作と同様、操作部３０２を使用して当該デジタル動画像データの明度、彩度、またはコントラストを調節することができる。この操作を検出したメインＣＰＵ３０７は、録画／再生ＣＰＵ３０８ｂを制御し、ハードディスク３０６から読み出される第２のデジタル動画像データの明度、彩度、またなコントラストを調節して、センサカメラ２のカメラ部２０１にて撮像された原画像よりも画質が向上するように画像処理させる。このように画像処理された後の第２のデジタル動画像データは、無圧縮の当該データでメインＣＰＵ３０７を経由してモニタ３０３へと伝送されることにより、泥棒等の不審人物または不審物やガレージ等の周囲近傍の映像を、センサカメラ２のカメラ部２０１にて撮像された原画像よりも画質が向上された視認性の高い映像としてモニタ３０３に出画させることができる。
【００４３】
本発明のインターホンシステムにおいては、図１、図２にそれぞれ示した特定の実施の形態をもって説明してきたが、この形態に限定されるものでなく、本発明の効果を奏する限り、これまで知られた如何なる構成であっても採用できるということはいうまでもないことである。
【図面の簡単な説明】
【００４４】
【図１】Ｌ2  本発明を実施するための最良の一形態であるインターホンシステムの全体構成を示すシステム説明図。
【図２】本発明を実施するための最良の一形態であるインターホンシステムにおいて、居室親機の具体的な構成を示すブロック図。
【符号の説明】
【００４５】
１……玄関子機
１０１……カメラ
２……センサカメラ
３……居室親機
３０２……操作部
３０３……モニタ
３０６……ハードディスク
３０７……メインＣＰＵ（ＣＰＵ）
３０８ａ、３０８ｂ……録画／再生ＣＰＵ
Ｌ1……第１の伝送線路（伝送線路）
Ｌ2……第２の伝送線路（伝送線路）
【図１】
2007060015.tif 000003
【図２】
2007060015.tif 000004